(57)【要約】【課題】給水配管と水洗便器の給水口とを少ない部品点数で、作業性よく接続できるとともに、水密性に優れた洗浄水給水配管の接続構造を提供する。【解決手段】水洗便器７の給水口４へ洗浄水の給水配管３を接続する構造であって、該接続構造は上記給水口４へ嵌着され、かつ、筒状の弾性材料からなる凹形継手１と先端部２１が該凹形継手１に挿入される凸形継手２とからなり、上記凹形継手１には内径が徐々に減少するテーパ形状のソケット部１２が内設されるとともに、上記凸形継手２の先端部２１近傍には上記ソケット部１２に弾性係止する鍔状係止部２２が周設される。【選択図】図５
2006089918.tif 000002
【特許請求の範囲】
【請求項１】
水洗便器の給水口へ洗浄水の給水配管を接続する構造であって、該接続構造は上記給水口へ嵌着され、かつ、筒状の弾性材料からなる凹形継手と先端部が該凹形継手に挿入される凸形継手とからなり、上記凹形継手には内径が徐々に減少するテーパ形状のソケット部が内設されるとともに、上記凸形継手の先端部近傍には上記ソケット部に弾性係止する鍔状係止部が周設された洗浄水給水配管の接続構造。
【請求項２】
上記凹形継手の両端部にはフランジ部が設けられた請求項１に記載の洗浄水給水配管の接続構造。
【請求項３】
上記鍔状係止部の円周端には抜け止め用の係止爪が周設された請求項１に記載の洗浄水給水配管の接続構造。
【請求項４】
上記凹形継手を形成する筒状の弾性材料がゴムである請求項１に記載の洗浄水給水配管の接続構造。
【発明の詳細な説明】
【技術分野】
【０００１】
本発明は、洗浄水給水配管の接続構造に関する。さらに詳しくは、水洗便器等を洗浄する際、便器の給水口に洗浄用の水を供給する給水配管を接続する構造に関する。
【背景技術】
【０００２】
洋式便器、和式便器等の水洗便器を使用後、給水弁を操作して洗浄水を勢いよく吐出させ、便器を洗浄することは一般的に行われている。このとき、洗浄水を供給する給水配管と便器の給水口とを、簡単に外れたり緩んだりすることなく、また、水漏れを起こすことなくしっかりと接続する必要があり、例えば、下記特許文献には上記課題を解決することを目的とした水洗便器等の衛生陶器への配管接続構造が開示されている。
【特許文献１】特開平９−１２５５０６号公報（第１−３頁、第１図）
【発明の開示】
【発明が解決しようとする課題】
【０００３】
しかしながら、上記特許文献１の第１図から明らかなように、該特許文献においては、給水配管と衛生陶器（洋風便器）の給水口とは多数の部品を組み合わせて接続され、また、その接続構造も複雑なものとなっている。本発明は上記問題を解決し、給水配管と水洗便器の給水口とを少ない部品点数で、作業性よく接続できるとともに、水密性に優れた洗浄水給水配管の接続構造を提供することを、その課題とする。
【課題を解決するための手段】
【０００４】
上記した課題を解決するために、本発明においては、つぎのような技術的手段を講じている。すなわち、本発明によれば、水洗便器の給水口へ洗浄水の給水配管を接続する構造であって、該接続構造は上記給水口へ嵌着され、かつ、筒状の弾性材料からなる凹形継手と先端部が該凹形継手に挿入される凸形継手とからなり、上記凹形継手には内径が徐々に減少するテーパ形状のソケット部が内設されるとともに、上記凸形継手の先端部近傍には上記ソケット部に弾性係止する鍔状係止部が周設された洗浄水給水配管の接続構造が提供される。上記凸形継手の材質は金属、プラスチックス等、硬質材料であればとくに限定されるものではないが、硬質プラスチックスが好ましく用いられる。
【０００５】
上記凹形継手の両端部にはフランジ部が備えられることが好ましい。また、上記鍔状係止部の円周端には抜け止め用の係止爪が周設されることが好ましい。さらに、上記凹形継手を形成する筒状の弾性材料としてはとくに限定されず、プラスッチクス、ゴム等が用いられるが、ゴムとくに、合成ゴムが好ましく用いられる。
【発明の効果】
【０００６】
請求項１に記載の発明は上記のとおりであり、凸形継手とともに洗浄水給水配管の接続構造を構成する凹形継手は、内径が徐々に減少するテーパ形状のソケット部が内設され、凸形継手の先端部近傍には上記ソケット部に弾性係止する鍔状係止部が周設されているため、凸形継手の先端部を上記弾性材料から形成されたソケット部に単に挿入し、鍔状係止部によりしっかりと係止させるのみで、狭い空間でスパナやレンチ等の工具を使用することなく、簡単に、水密性よく給水配管を水洗便器の給水口へ接続することができる。
【０００７】
上記凹形継手の両端部にはフランジ部が設けられているため、給水口に嵌着された凹形継手はフランジ部が給水口を形成する周囲部に掛かってしっかりと弾性係止される。また、上記鍔状係止部の円周端には抜け止め用の係止爪が周設されているため、凸形継手の先端部をソケット部に挿入したとき、上記係止爪がソケット部内の弾性材料に埋め込まれ、食い込んでしっかりと抜け止め効果を発揮する。
【０００８】
上記凹形継手を形成する筒状の弾性材料がゴムであるため、凸形継手の先端部は凹形継手に内設されたソケット部の内面を弾性的に押し広げて進入するとともに、給水配管と給水口との多少の芯ズレは弾性的に吸収され、作業性よく接続することができる。
【発明を実施するための最良の形態】
【０００９】
以下、本発明の実施形態について図面を参照して、詳細に説明する。図１は、本発明にかかる洗浄水給水配管の接続構造を構成する凹形継手１と凸形継手２とを示す斜視図である。図１において、弾性材料としての合成ゴムからなり、本体が筒状とされた凹形継手１には、内径が徐々に減少するテーパ形状のソケット部１２が内設され、両端部にはフランジ部１１が設けられている。一方、硬質プラスッチクスからなる凸形継手２は、図１の矢印の方向にしたがってソケット部１２に挿入されるとともに、その先端部２１近傍には、鍔状の係止部２２が周設されている。また、この鍔状係止部２２の円周端には抜け止め用の係止爪２２１が設けられている。さらに、凸形継手２の後端部２３は給水配管３に接続され、図示しない給水操作弁を操作することにより洗浄水が水洗便器内に吐出される。
【００１０】
上記のように構成された凹形継手１は、まず、図２に示す水洗便器の給水口４へ矢印にしたがって押し込まれ、嵌着される。このとき、合成ゴムからなる凹形継手１は給水口４へ弾性係止するとともに、両端部に設けられたフランジ部１１が給水口４を形成する周囲部にしっかりと掛かり凹形継手１が外れることを防ぐ。図３は、上記のようにして給水口４へ嵌着された凹形継手１に凸形継手２を挿入した状態を示す部分側断面図である。
【００１１】
すなわち、図１の矢印に示すように凸形継手２の先端部２１をソケット部１２に挿入すると、先端部２１は合成ゴムからなるソケット部１２の内面を弾性的に押し広げて進入する。一方、抜け止め用の係止爪２２１が周設された鍔状係止部２２は、上記ソケット部１２内へ埋め込まれ、上記係止爪２２１が合成ゴム層に食い込んで抜け止め効果を発揮する。図４は、図３に示す実施形態の変形例であり、凸形継手２の先端部２１を凹形継手１のソケット部１２から突出した状態を示す部分側断面図である。図４からよくわかるように、このとき、鍔状係止部２２全体が抜け止め効果を発揮して、凹形継手１と凸形継手２とをしっかりと接続する。
【００１２】
図５は、水洗便器７に本発明の洗浄水給水配管の接続構造を用いて給水配管３を接続した状態を示す側断面図である。図５からよくわかるように、凸形継手２は給水配管３に接続されるとともに、給水配管３は給水弁５を介して給水本管６に接続されている。このように、本発明の接続構造を用いれば、凸形継手２の先端部２１を凹形継手１に内設されたソケット部１２に単に挿入し、鍔状係止部２２をソケット部１２を構成する合成ゴム層にしっかりと係止させるのみで、狭い空間でスパナやレンチ等の工具を使用することなく、簡単に、水密性よく給水配管３を水洗便器の給水口４へ接続することができる。
【図面の簡単な説明】
【００１３】
【図１】本発明にかかる洗浄水給水配管の接続構造を構成する凹形継手と凸形継手とを示す斜視図である。
【図２】凹形継手を水洗便器の給水口へ嵌着する状態を示す側断面図である。
【図３】給水口へ嵌着した凹形継手に凸形継手を挿入した状態を示す部分側断面図である。
【図４】図３に示す実施形態の変形例を示す部分側断面図である。
【図５】水洗便器に本発明の洗浄水給水配管の接続構造を用いて給水配管を接続した状態を示す側断面図である。
【符号の説明】
【００１４】
１          凹形継手
１１        フランジ部
１２        ソケット部
２          凸形継手
２１        先端部
２２        鍔状係止部
２２１      係止爪
２３        後端部
３          給水配管
４          給水口
５          給水弁
６          給水本管
７          水洗便器
【図１】
2006089918.tif 000003
【図２】
2006089918.tif 000004
【図３】
2006089918.tif 000005
【図４】
2006089918.tif 000006
【図５】
2006089918.tif 000007